(57)【要約】【課題】シート状の印刷物のパイルの、その都度異なるパイル厚に、装置を改造することなく適合させることができるようなワイヤ綴じエレメントを曲げるための方法および装置を提供する。【解決手段】シート状の印刷物１１を、小冊子１０を形成するために、ループ状のワイヤ綴じエレメント４１によってルーズに綴じるための装置であって、２つのＣ型成形機５０，５０′が設けられており、該Ｃ型成形機は、最初は扁平なループ状のワイヤ綴じエレメントを、ほぼ連続的に円弧状のＣ型４１ｃに曲げるように支承されていて、２つのＯ型成形機６０，６０′が設けられており、該Ｏ型成形機が、Ｃ型４１ｃに曲げられたループ状のワイヤ綴じエレメントを閉じられた形状４１ｏに曲げる。【選択図】　　　図１
2004001525.tif 000002
【特許請求の範囲】
【請求項１】
シート状の印刷物（１１）を、小冊子（１０）を形成するために、ループ状のワイヤ綴じエレメント（４１）によってルーズに綴じるための装置であって、２つのＣ型成形機（５０，５０′）が設けられており、該Ｃ型成形機（５０，５０′）は、最初は扁平なループ状のワイヤ綴じエレメント（４１）を、ほぼ連続的に円弧状のＣ型（４１ｃ）に曲げるように支承されていて、２つのＯ型成形機（６０，６０′）が設けられており、該Ｏ型成形機（６０，６０′）が、Ｃ型（４１ｃ）に曲げられたループ状のワイヤ綴じエレメント（４１）を閉じられた形状（４１ｏ）に曲げることを特徴とする、シート状の印刷物（１１）をループ状のワイヤ綴じエレメント（４１）によってルーズに綴じるための装置。
【請求項２】
装置を改造することなしに、種々異なる長さのループ（Ｓ）を曲げることができる、請求項１記載の装置。
【請求項３】
Ｃ型成形機（５０，５０′）が、クランプ側面（５５，５５′）と、突起（５２，５２′）とを有していて、該突起（５２，５２′）には突起側面（５６，５６′）が設けられており、該突起側面（５６，５６′）と前記クランプ側面（５５，５５′）とが、ループ状のワイヤ綴じエレメント（４１）をクランプするために協働する、請求項１または２記載の装置。
【請求項４】
Ｃ型成形の際のループ状のワイヤ綴じエレメント（４１）のクランプは、Ｃ型成形機（５０，５０′）の曲げ運動によってのみ行われる、請求項１から３までのいずれか１項記載の装置。
【請求項５】
Ｃ型成形機（５０，５０′）が、小冊子（１０）の内側の扁平なループ状ワイヤ綴じエレメント（４１）をセンタリングするためのセンタリングエレメント（５３，５３′）を有している、請求項１から４までのいずれか１項記載の装置。
【請求項６】
Ｃ型成形機（５０，５０′）がそれぞれ、回転運動のための駆動装置と、Ｘ方向およびＹ方向の運動のための駆動装置と、Ｃ型成形機（５０，５０′）の運動を制御するための制御装置とを有している、請求項１から５までのいずれか１項記載の装置。
【請求項７】
前記制御装置が、扁平なループ状のワイヤ綴じエレメント（４１）がＣ型（４１ｃ）に曲げられる際に、Ｃ型成形機（５０，５０′）の駆動装置を、個々のＣ型成形機（５０，５０′）の運動の旋回点が、ループ状のワイヤ綴じエレメント（４１）の内側に位置するように制御する、請求項６記載の装置。
【請求項８】
曲げ過程の際の両Ｃ型成形機（５０，５０′）の運動が、互いに同期的に行われる、請求項１から７までのいずれか１項記載の装置。
【請求項９】
Ｏ型成形機（６０，６０′）が、ループ状のワイヤ綴じエレメント（４１）のループ方向に対して垂直に突起（６２，６２′）を有しており、該突起（６２，６２′）が、ループ状のワイヤ綴じエレメント（４１）の２つのループ（Ｓ）の間隔よりも短い、請求項１から８までのいずれか１項記載の装置。
【請求項１０】
Ｏ型成形機（６０，６０′）がそれぞれ、回転運動のための駆動装置と、Ｘ方向およびＹ方向の運動のための駆動装置と、Ｏ型成形機（６０，６０′）の運動を制御するための制御装置とを有している、請求項１から５までのいずれか１項記載の装置。
【請求項１１】
前記制御装置が、扁平なループ状のワイヤ綴じエレメント（４１）がＯ型（４１ｏ）に曲げられる際にＯ型成形機（６０，６０′）の駆動装置を、両Ｏ型成形機（６０，６０′）の旋回点が、ループ状のワイヤ綴じエレメント（４１）の内側に位置するように制御する、請求項１０記載の装置。
【請求項１２】
曲げ過程の際の両Ｏ型成形機（６０，６０′）の運動が、互いに同期的に行われる、請求項１から１１までのいずれか１項記載の装置。
【請求項１３】
Ｏ型成形機（６０，６０′）が、Ｚ方向での運動のためのそれぞれ１つの駆動装置と、Ｚ方向での運動を制御するための制御手段とを有している、請求項１から１２までのいずれか１項記載の装置。
【請求項１４】
Ｏ型成形の際のループ状のワイヤ綴じエレメント（４１）のクランプが、Ｏ型成形機（６０，６０′）の曲げ運動によってのみ行われる、請求項１から１３までのいずれか１項記載の装置。
【請求項１５】
制御装置が、Ｃ型成形機（５０，５０′）の運動のための速度プロフィールと、Ｏ型成形機（６０，６０′）の運動のための速度プロフィールとを、扁平なループ状のワイヤ綴じエレメント（４１）の種々異なるループ長さ（Ｌ）のために規定しており、これによりループ状のワイヤ綴じエレメント（４１）が、適当な直径を有したＯ型（４１ｏ）に曲げ合わされる、請求項１から１４までのいずれか１項記載の装置。
【請求項１６】
ループ状のワイヤ綴じエレメント（４１）が、Ｃ型成形機（５０，５０′）及び／又はＯ型成形機（６０，６０′）によって、ループ状のワイヤ綴じエレメント（４１）が、負荷軽減された際に、所望の形状となるように過剰に曲げられている、請求項１から１５までのいずれか１項記載の装置。
【請求項１７】
両Ｏ型成形機（６０，６０′）が、少なくともワイヤ綴じエレメント（４１）の個々のループのために、それぞれ個々の曲げエレメント（６４，６４′）を有しており、該曲げエレメント（６４，６４′）がＯ型成形機（６０，６０′）に交換可能に固定されている、請求項１から１６までのいずれか１項記載の装置。
【請求項１８】
複数の孔（１２）が設けられたシート状の印刷物（１１）から成る小冊子（１０）を、少なくとも１つのループ状のワイヤ綴じエレメント（４１）によってルーズに綴じるための方法であって、次のようなステップで行う、即ち、
（イ）最初は扁平なループ状のワイヤ綴じエレメント（４１）を、シート状の印刷物（１１）の孔（１２）に通して設け、
（ロ）前記扁平なループ状のワイヤ綴じエレメント（４１）を、２つのＣ型成形機（５０，５０′）によって、連続的に円弧状のＣ型（４１ｃ）に曲げ、
（ハ）Ｃ型（４１ｃ）のループ状ワイヤ綴じエレメント（４１）を、２つのＯ型成形機（６０，６０′）によって、綴じられたＯ型（４１ｏ）に曲げる、ステップで行うことを特徴とする、シート状の印刷物から成る小冊子をルーズに綴じるための方法。
【請求項１９】
扁平なループ状ワイヤ綴じエレメント（４１）のループ長さ（Ｌ）とは無関係に実行することができる、請求項１８記載の方法。
【請求項２０】
Ｃ型成形の際に、ループ状ワイヤ綴じエレメント（４１）のクランプを、Ｃ型成形機（５０，５０′）の曲げ運動によってのみ行う、請求項１８または１９記載の方法。
【請求項２１】
Ｏ型成形の際に、ループ状ワイヤ綴じエレメント（４１）のクランプをＯ型成形機（６０，６０′）の曲げ運動によってのみ行う、請求項１８から２０までのいずれか１項記載の方法。
【請求項２２】
ループ状ワイヤ綴じエレメント（４１）をＣ型及び／又はＯ型に曲げる際に、旋回点がループ状ワイヤ綴じエレメント（４１）の内側に位置している、請求項１８から２１までのいずれか１項記載の方法。
【請求項２３】
ループ状ワイヤ綴じエレメント（４１）をＯ型に曲げる際に、旋回点がループ状ワイヤ綴じエレメント（４１）の内側に位置している、請求項１８から２２までのいずれか１項記載の方法。
【発明の詳細な説明】
【０００１】
【発明の属する技術分野】
本発明は、ワイヤコーム綴じにおいて使用されるワイヤ綴じエレメントを曲げるための装置および方法に関する。
【０００２】
【従来の技術】
種々様々な大きさのいわゆるワイヤＯ型ＴＭ綴じエレメント（登録商標）を使用する小冊子を製造するための方法は、例えば、欧州特許出願第００９５２４３号明細書および欧州特許出願第００９５２４５号明細書により公知である。
【０００３】
ワイヤＯ型綴じエレメントは、図２ａに示したようにループ長さＬと、ループ間隔Ａと、ワイヤ直径Ｄとを備えた、互いに間隔をおいて平行に配置されたワイヤループとして規定されていて、適当な閉鎖装置によって、１つのワイヤＯリングに成形される。
【０００４】
上記特許出願のための綴じ装置は、この場合、種々異なるループ間隔とループ長さとを有する、予め成形されたワイヤＯ型綴じエレメントの加工が可能であるように形成されている。予め成形されたワイヤＯ型綴じエレメントは、この場合、側方から見てＣ型またはω型構造の、それぞれ２つの互いに接続する半円形を形成するワイヤループから成っている。Ｃ型またはω型の構造は、シート状の印刷物の孔が、ワイヤ綴じエレメントに通されてから閉じられ、これにより円形のリング綴じが形成される。ω型の構造は、ワイヤ綴じエレメントのループの真ん中にビードが形成される場合に生じる。このようなビードにより、予め成形されたワイヤＯ型綴じエレメントの閉鎖過程が容易にされる。
【０００５】
一般的に上記装置の欠点は、種々異なるサイズおよび厚さの小冊子を綴じるためには、このために必要なワイヤ綴じエレメントが、既に成形された綴じエレメントストックとして、例えば、ロール材料として、または、綴じ長さに裁断されたエレメントとして、綴じ装置に供給されなければならないことである。このような種々様々なサイズおよび厚さの小冊子を綴じるために、予めかなりの数のストックが必要である。
【０００６】
さらに、制作したい小冊子のサイズが変更された場合、搬送および処理を行う装置を、種々異なるワイヤ綴じエレメントの要求に合わせなければならない。このような設備の変更には、搬送装置と綴じ装置をコストをかけて構成する必要があるので、このような綴じ方法は、１つのサイズおよび厚さの小冊子を多数制作する場合にだけ経済的である。従って発行部数が少ないと、制作は非経済的であり、機械を適応させるのに比較的長い時間が必要となる。
【０００７】
ドイツ連邦共和国特許出願公開第２８４７７００号明細書により、メモ帳等のワイヤ綴じの製造法が公知である。この公知の方法では、ストックから継続的に引き出されるワイヤを、往復曲げすることにより、１つの波形の製品へと成形し、この場合、波形のワイヤ製品を次いで、波の平面に対して横方向でＣ型の形状に曲げる。曲げるために、所定の直径を有した成形ローラが使用され、これにより、変更可能なループ間隔および長さを有したワイヤ綴じエレメントだけが製造可能である。
【０００８】
必要に応じた、その都度の綴じたい小冊子の紙判および厚さに応じた綴じ方法で直接にワイヤ綴じエレメントを製造することができる、種々異なるサイズおよび厚さの小冊子をワイヤコーム綴じによって製作するための装置によって、ワイヤコームのそれぞれのワイヤループを、１つのリングを形成するように一緒に曲げ合わせなければならない。この場合、形成されたリングの半径は、シート状の印刷物のパイル厚に、ひいては、その都度のワイヤループ長さに依存していることが考慮される。
【０００９】
【特許文献１】
欧州特許出願第００９５２４３号明細書
【特許文献２】
欧州特許出願第００９５２４５号明細書
【特許文献３】
ドイツ連邦共和国特許出願公開第２８４７７００号明細書
【００１０】
【発明が解決しようとする課題】
本発明の課題は、シート状の印刷物のパイルの、その都度異なるパイル厚に、装置を改造することなく適合させることができるようなワイヤ綴じエレメントを曲げるための方法および装置を提供することである。
【００１１】
【課題を解決するための手段】
この課題は、請求項１記載の特徴を有する装置および請求項１８記載の方法により解決される。本発明のさらなる特徴は、それ以外の請求項に記載されている。
【００１２】
【発明の効果】
扁平でループ状のワイヤ綴じエレメントを、連続的に円弧状のＣ字型に曲げることにより、ワイヤ綴じエレメントの特に美しい外観が得られる。
【００１３】
本発明による装置の有利な構成では、装置を改造することなしに種々異なる長さのループを曲げることができる。
【００１４】
有利には、Ｃ型成形機が、クランプ側面と、突起とを有していて、該突起には突起側面が設けられており、該突起側面と前記クランプ側面とが、ループ状のワイヤ綴じエレメントをクランプするために協働する。この場合、有利には、Ｃ型成形の際のループ状のワイヤ綴じエレメントのクランプは、Ｃ型成形機の曲げ運動によってのみ行われる。これにより、とりわけ、ワイヤの表面が保護される。さらに、ワイヤ綴じエレメントをクランプするために必要とされる付加的な可動部分は必要ない。
【００１５】
本発明の有利な構成では、Ｃ型成形機が、小冊子の内側の扁平なループ状ワイヤ綴じエレメントをセンタリングするためのセンタリングエレメントを有している。扁平なループ状のワイヤ綴じエレメントは、手動で、または進入装置によって自動的に、シート状の印刷物に設けられた孔に差し込まれる。Ｃ型成形機およびＯ型成形機が、ワイヤ綴じエレメントを、最良で美しいＯ型に曲げ合わせるように把持することを保証するために、ワイヤ綴じエレメントが曲げ過程の初期に正確に位置決めされると有利である。本発明によればこれは、Ｃ型成形機の、ワイヤ綴じエレメントのループに対応される漏斗状部材とセンタリングエレメントの列によって得られる。
【００１６】
有利な構成では、Ｃ型成形機がそれぞれ、回転運動のための駆動装置と、Ｘ方向およびＹ方向の運動のための駆動装置と、Ｃ型成形機の運動を制御するための制御装置とを有している。この場合、有利には、前記制御装置が、扁平なループ状のワイヤ綴じエレメントがＣ型に曲げられる際に、Ｃ型成形機の駆動装置を、個々のＣ型成形機の運動の旋回点が、ループ状のワイヤ綴じエレメントの内側に位置するように制御する。これにより、曲げる際のワイヤ綴じエレメントをクランプし、この場合、固定的な位置に保持するトルクは一定に保たれ、ループ方向に関して縦方向の付加的な力は生じない。このような付加的な力が生じると、クランプの内側でループをずらす恐れがある。これにより、ループが着脱の際に変形され、ワイヤが引っ掻かれるようなことは回避される。
【００１７】
特に有利には、曲げ過程の際の両Ｃ型成形機の運動が、互いに同期的に行われるならば、扁平なループ状のワイヤ綴じエレメントをＯ型に曲げることができる。これにより、付加的な横方向の力は回避され、Ｏ型のワイヤ綴じエレメントはより円形にされる。
【００１８】
本発明の装置の有利な構成では、Ｏ型成形機が、ループ状のワイヤ綴じエレメントのループ方向に対して垂直に突起を有しており、該突起が、ループ状のワイヤ綴じエレメントの２つのループの間隔よりも短い。Ｏ型成形機は、シート状の印刷物を安定化させて、扁平なワイヤ綴じエレメントをシート状の印刷物に通すのを容易にするために働き、このために孔の下側に配置されている。一方で開かれたＯ型成形機の突起により、その後の時点で、即ち、ワイヤ綴じエレメントがＣ字型に引き続き曲げられる際に、Ｏ型成形機を、ワイヤ綴じエレメントのループの平面に挿入することができ、これにより、引き続き行われる横方向の運動により、ワイヤ綴じエレメントのループが把持される。
【００１９】
有利には、Ｏ型成形機がそれぞれ、回転運動のための駆動装置と、Ｘ方向およびＹ方向の運動のための駆動装置と、Ｏ型成形機の運動を制御するための制御装置とを有している。この場合、前記制御装置が、扁平なループ状のワイヤ綴じエレメントがＯ型に曲げられる際にＯ型成形機の駆動装置を、両Ｏ型成形機の旋回点が、ループ状のワイヤ綴じエレメントの内側に位置するように制御する。
【００２０】
有利には、曲げ過程の際の両Ｏ型成形機の運動が、互いに同期的に行われる。
【００２１】
付加的に、Ｏ型成形機が、Ｚ方向での運動のためのそれぞれ１つの駆動装置と、Ｚ方向での運動を制御するための制御手段とを有している。これにより、上述した、Ｏ型成形機の突起をループ平面に挿入する過程は自動的に行われる。
【００２２】
Ｏ型成形の際のループ状のワイヤ綴じエレメントのクランプも、有利には、Ｏ型成形機の曲げ運動によってのみ行われる。
【００２３】
本発明による装置の特に有利な構成では、制御装置が、Ｃ型成形機の運動のための速度プロフィールと、Ｏ型成形機の運動のための速度プロフィールとを、扁平なループ状のワイヤ綴じエレメントの種々異なるループ長さのために規定しており、これによりループ状のワイヤ綴じエレメントが、適当な直径を有したＯ型に曲げ合わされる。この場合、速度プロフィールの規定は、所定ののループ長さ、またはセンサにより検出されるループ長さに基づく速度プロフィールの算出を含んでいる。他方では、Ｃ型成形機もしくはＯ型成形機の運動に関係するループ長さは、本発明による装置に前置された、またはより上位の装置及び／又は制御装置から伝えられる。別の手段では、Ｃ型成形機もしくはＯ型成形機の運動のための速度プロフィールを基準表に記録し、読みとるだけでよい。有利には、速度プロフィールは、Ｃ型成形機もしくはＯ型成形機の駆動のための制御信号に変換される。このようにして、同じ工具、即ち、本発明によるＣ型成形機もしくはＯ型成形機は、種々様々なループ長さ、ひいては種々異なる厚さの小冊子を綴じることができる。
【００２４】
Ｃ型成形機もしくはＯ型成形機の運動は有利には、ループ状のワイヤ綴じエレメントが、Ｃ型成形機及び／又はＯ型成形機によって、ループ状のワイヤ綴じエレメントが、負荷軽減された際に、所望の形状となるように過剰に曲げられるように行われる。ワイヤを曲げる際に、ます最初に、ワイヤの弾性的な領域が克服され、これによりワイヤの永続的な変形が得られる。永続的に変形されている場合でも、ワイヤは、弾性的な範囲に相応して曲げ戻される。従って、所望の曲げ形状を得るためには、予想される曲げ戻しに相応に、所望の形状以上に曲げなければならない。
【００２５】
本発明の装置の有利な構成では、両Ｏ型成形機が、少なくともワイヤ綴じエレメントの個々のループのために、それぞれ個々の曲げエレメントを有しており、該曲げエレメントがＯ型成形機に交換可能に固定されている。この場合、Ｏ型成形機ごとの曲げエレメントの数は少なくとも、シート状の印刷物の、処理したい最大のサイズをルーズに綴じるために使用されるループの数と同じである。Ｏ型成形機は、比較的複雑なジオメトリを有する部分であるので、構造は同じである個々の曲げエレメントに分割することにより、製造の手間、ひいては部材コストが減じられる。個々の曲げエレメントが損傷された場合には、例えば突起が折れた場合には、その個所の曲げエレメントだけを交換すればよいという利点が得られる。これにより、工具交換のためのコストが著しく減じられる。選択的には全ての曲げエレメントが、バー上に配置されていてもよく、この場合、各バーは、複数の個々の曲げエレメントを支持している、例えば４つまたは６つである。曲げエレメントは従ってバー形式であって、このような構成では、それぞれのＯ型成形機に交換可能に固定されている。
【００２６】
本発明の思想の別の側面に応じて、課題を解決するために、複数の孔が設けられたシート状の印刷物から成る小冊子を、少なくとも１つのループ状のワイヤ綴じエレメントによってルーズに綴じるための方法は、次のようなステップで行う、即ち、（イ）最初は扁平なループ状のワイヤ綴じエレメントを、シート状の印刷物の孔に通して設け、（ロ）前記扁平なループ状のワイヤ綴じエレメントを、２つのＣ型成形機によって、連続的に円弧状のＣ型に曲げ、（ハ）Ｃ型のループ状ワイヤ綴じエレメントを、２つのＯ型成形機によって、綴じられたＯ型に曲げる、ステップで行う。
【００２７】
有利には、扁平なループ状ワイヤ綴じエレメントのループ長さとは無関係に実行することができる。
【００２８】
本発明の方法の特に有利な実施例では、ワイヤコーム綴じのためのワイヤ綴じエレメントの全てのワイヤループにおいて曲げ工程を同時に行うことができる。ワイヤコーム綴じのためのワイヤ綴じエレメントの全てワイヤループを平行して曲げることによりワイヤ綴じエレメントの処理は著しく加速される。さらに、ワイヤ綴じエレメントに沿った全ての円弧が、同じ曲線を有していることが保証される。これにより、湾曲されたワイヤコームを有した完全なワイヤコーム綴じでは、美しい外観と、特に、このように製造されたワイヤコーム綴じを有した小冊子のページがめくられる際に良好な機能性が得られる。本発明の方法の範囲内には、ワイヤ綴じエレメントに沿って分割されたＯ型成形機もしくはＣ型成形機を使用することも入っており、これにより、例えば、この場合に生じる力を減じるためにワイヤ綴じエレメントの全てのワイヤループの半分または１／３をその都度、曲げればよい。曲げビームの別の分割も考えられる。
【００２９】
本発明の有利な方法は、以下に図面につき詳しく説明する。
【００３０】
【発明の実施の形態】
次に図面につき本発明の実施の形態を詳しく説明する。
【００３１】
図１には本発明の装置の全体的な構成が示されている。そのうち、説明を簡潔にするために、本発明で重要な構成部分だけを示し、説明する。一般的に公知の、装置を運転するために必要なその他の駆動手段及び／又はガイド手段ならびに電気的・電子的なスイッチ回路は図示していない、もしくは、一般的な形式でしか説明していない。
【００３２】
本発明による装置は、主として、一対のＣ型成形機５０，５０′と、一対のＯ型成形機とから成っている。前記Ｃ型成形機５０，５０′は一緒に、扁平なループ状のワイヤ綴じエレメント４１を一時的にＣ型４１ｃに曲げ、Ｏ型成形機は、Ｃ型４１ｃに曲げられたループ状のワイヤ綴じエレメント４１を、閉じられたＯ型４１ｏに曲げ、これによりシート状の印刷物１１をルーズに綴じて小冊子１０を形成する。
【００３３】
複数の孔１２を備えたシート状の印刷物１１のパイルは、挟持装置７０において挟み込まれる。前記複数の孔１２は、外縁部で揃えられて、互いに重ねられた状態で、扁平なワイヤ綴じエレメント４１のループＳのためのほぼ直線的な貫通部を形成する。シート状の印刷物は、本発明の装置が、より上位のシステムに属している場合には特に、例えば挟持装置７０によって送ることができる。別の実施例では、挟持装置７０は、その実施例が、小冊子１０をルーズに綴じるための卓上装置である場合には特に、本発明の装置の固定的な構成部分である。
【００３４】
Ｃ型成形機５０，５０′はそれぞれ軸５１，５１′に取り付けられていて、それぞれの軸５１，５１′を中心として、図１の矢印で示したように旋回運動を行うように駆動され、ガイドされ、制御されている。当業者には公知の、両Ｃ型成形機５０，５０′のためのステップモータ、ガイド、制御装置（図示せず）が付加的に設けられている。これによりＣ型成形機５０，５０′は、Ｘ方向およびＹ方向で同様に制御可能に摺動可能である。ステップモータを使用することにより、Ｃ型成形機５０，５０′の運動の制御と実行において特に大きな柔軟性が得られる。同じことがＯ型成形機６０，６０′にも当てはまる。
【００３５】
Ｏ型成形機６０，６０′も、それぞれの軸６１，６１′を中心とした旋回運動、並びにＸ方向もしくはＹ方向に沿った運動のための、当業者には公知の相応の駆動装置、ガイド装置、制御装置（図示せず）を有している。さらに、Ｏ型成形機６０，６０′をＺ方向で動かすことができるＯ型成形機６０，６０′のための駆動装置、ガイド装置、制御装置が設けられている。ここで使用されるデカルト座標は、図１に座標十字で示されている。
【００３６】
Ｃ型成形機５０，５０′は、ループ状のワイヤ綴じエレメント４１をセンタリングし把持することのできるジオメトリを有している。このために、ループ状のワイヤ綴じエレメント４１を把持もしくはクランプするための突起５２が設けられていて、かつセンタリングエレメント５３，５３′と漏斗状センタリング装置５４，５４′とが設けられている。
【００３７】
Ｏ型成形機６０，６０′も、Ｃ型４１ｃのループ状のワイヤ綴じエレメント４１をクランプし曲げるために突起６２，６２′を有しており、これについては後で詳しく説明する。
【００３８】
Ｃ型成形機５０，５０′は互いに、もしくはＯ型成形機６０，６０′は互いに、鏡像対称的であること以外は構成は殆ど変わらないが、以下では、特に本発明による方法を説明するために、第１のＣ型成形機５０および第２のＣ型成形機５０′ならびに第１のＯ型成形機６０および第２のＯ型成形機６０′と記載する。この場合、第１のＣ型成形機５０もしくは第１のＯ型成形機６０は、それぞれ、シート状の印刷物１１の、ループ状のワイヤ綴じエレメント４１のベース側４１ｋが位置している側に配置されていることを特徴としている。これにより、第２のＣ型成形機５０′もしくは第２のＯ型成形機６０′はそれぞれ、シート状の印刷物１１の、ループ状のワイヤ綴じエレメント４１のループＳの先端４１ｓが位置している側に配置されていることを特徴とする。
【００３９】
図２ａには、４つのループＳを有したループ状のワイヤ綴じエレメント４１が示されている。これらのループＳは、先端４１ｓと先端４１ｓとの間の間隔Ａと、ワイヤ直径Ｄと、ループ長さＬと、ループＳの総数Ｎを有している。さらに、符号４１ｋによって、ワイヤ綴じエレメント４１のベース側が、符号４１ｓによってワイヤ綴じエレメント４１のループ先端が示されている。間隔Ａは、この場合、シート状の印刷物１１に設けられた孔１２の間隔Ａ′に相当する（図４ｂ参照）。しかしながら、シート状の印刷物１１の孔の総数Ｎ′は、次に説明するように、必ずしもワイヤ綴じエレメント４１のループＳの総数Ｎに相当するものではなく、むしろループＳの有利な総数Ｎのために最大限を成している。
【００４０】
ループ長さＬは、閉じられたＯ型４１ｏのワイヤ綴じエレメント４１の直径を規定し、シート状の印刷物１１の総数に応じて形成することができる。Ｏ型４１ｏに曲げられるワイヤ綴じエレメント４１の直径は、綴じられた小冊子１０が、美しい外観であって、めくり易く、重ね易いように選択される。図２ｂには、Ｃ型４１ｃのループ状ワイヤ綴じエレメント４１が示されている。Ｃ型４１ｃのループ状のワイヤ綴じエレメント４１は、中間製品であるので、ワイヤＯ綴じ製品を形成するために類似の形状のものが追加購入されても良い。しかしながら、本発明による装置ならびに本発明による方法では、先行技術とは異なり、ワイヤ綴じエレメント４１がＣ型４１ｃである際に既に、綴じようとする小冊子がループの内側に存在している。
【００４１】
図３には、完全にＯ型４１ｏに曲げられた１つのワイヤ綴じエレメント４１を有した、最終的に綴じられた小冊子１０が示されている。このワイヤ綴じエレメント４１は連続した綴じ部を有している。図４ａには、複数のワイヤ綴じエレメント４１′から成る個別綴じが示されている。ワイヤ綴じエレメント４１′は、それぞれ唯１つだけのループを有しており、印刷物の各孔１２のために、厳密に１つのワイヤ綴じエレメント４１′が使用される。図４ｂには、複数の、例えば複数のループを有したワイヤ綴じエレメント４１′から成るワイヤコーム綴じが示されている。これらのワイヤ綴じエレメント４１′は互いに間隔をおいて配置されているので、孔１２は空いたまま残される。上記の可能性のその他の各種組み合わせは当業者には明らかであろう。
【００４２】
図５には、扁平なループ状ワイヤ綴じエレメント４１のセンタリング装置の細部が示されている。これは１つには、扁平なループ状のワイヤ綴じエレメント４１の先端４１ｓが挿入される漏斗状センタリング装置５４，５４′である。また１つには、楔形のセンタリングエレメント５３（図６参照）であって、この楔形のセンタリングエレメント５３は、ワイヤ綴じエレメント４１のベース側４１ｋで、ループＳの端部の間に進入し、これによりベース側４１ｋでループＳの位置を固定する。この場合、ループＳの脚の間に挿入されるセンタリングエレメント５３の区分の幅は、主として、ループＳの脚が互いに平行に位置するように規定されている。これにより同時に、ループＳの互いの平行性が補助される。
【００４３】
図５〜図７に示したように、ループ状のワイヤ綴じエレメント４１の把持およびクランプのために働く突起５２，５２′は、ワイヤ綴じエレメント４１の全てのループＳのために連続的な成形材である。この突起５２，５２´自体は可動なその他の構成部分は有していない。この突起５２，５２′におけるワイヤ綴じエレメント４１の位置は、図７に示したように、クランプによってのみ位置固定されている。この場合、Ｃ型成形機５０，５０′の回転によりクランプが行われる。連続的な成形材の突起５２，５２′を備えたこのような構成により、Ｃ型成形機５０，５０′の特に大きな安定性がこの領域で得られる。さらに製造コストは比較的僅かである。
【００４４】
ワイヤ綴じエレメント４１のクランプの原理は、図８に詳しく示されている。図８には第１のＣ型成形機が挿入位置で示されている。下方の突起側面５６と、これに向かい合って位置するクランプ側面５５とは、ワイヤ綴じエレメント４１にまだ接触していない。第１のＣ型成形機５０は、Ｏ型成形機６０，６０′またはコーム装置（図示せず）によって保持された扁平なワイヤ綴じエレメントへと接近する際に、この挿入位置に位置している。第２のＣ型成形機５０′は、図８では既にクランプ位置で示されている。このために第２のＣ型成形機５０′は、旋回点Ｐ１′（図１０参照）を中心として、挿入位置に対して相対的に反時計回りで旋回する。この場合、第２のＣ型成形機５０′の下方の突起側面５６′とクランプ側面５５′とがまず最初に、扁平なワイヤ綴じエレメント４１と接触し、この場合、逆時計回りのその後の旋回の際に、側面５５′，５６′とワイヤ綴じエレメントとの間に十分な圧力が形成され、これによりワイヤ綴じエレメント４１がもはや滑脱し得ないようになるまで旋回する。
【００４５】
図９には、Ｏ型成形機６０，６０′の構成が概略的に示されている。Ｏ型成形機６０，６０′は、複数の個々の曲げエレメント６４，６４′を有していて、これらの曲げエレメント６４，６４′は、個々のＯ型成形機６０，６０′に設けられたそれぞれの溝６６，６６′に沿って固定することができる。各曲げエレメント６４，６４′は、平らな下面を備えたフック状の突起６２，６２′をそれぞれ有している。このフック状の突起６２，６２′は、一方では曲げエレメント６４，６４′の曲げエレメント本体に結合されている。この場合、曲げエレメント６４，６４´のフック状の突起６２，６２′は第１のＯ型成形機６０に鏡像対称的に配置されているので、両Ｏ型成形機６０，６０′の全ての突起は同じ方向に向けられている。
【００４６】
突起６２，６２′の長さは、ワイヤ綴じエレメント４１のループ形状に合わせられている。一方では突起６２，６２′は、内側では、ループＳの幅よりも長く、それぞれのループは突起６２，６２′によって確実に把持することができる。突起６２，６２′は他方では、全長が、２つのループＳの間の間隔よりも短い。
【００４７】
上述したように、Ｏ型成形機６０，６０′はＺ方向での付加的な駆動装置を備えている。Ｏ型成形機６０，６０′のＹ方向およびＺ方向での運動を組み合わせることにより、突起６２，６２′は、まず最初に、本発明による装置に挿入されたワイヤ綴じエレメント４１のループＳの間から浮上し、Ｚ方向でループ上を運動し、次いで上述したＣ型成形機５０，５０′の運動と同様に、Ｏ型成形機６０，６０′の回転により、ワイヤ綴じエレメント４１がクランプされ、曲げられる。
【００４８】
Ｘ−Ｙ平面におけるクランプと曲げ機構とは、この場合、上述したように運動する。Ｃ型成形機５０，５０′もしくはＯ型成形機６０，６０′の回転による、ワイヤ綴じエレメント４１のクランプがこの場合、シート状の印刷物１１への回転運動の際に、またはシート状の印刷物１１から離れる回転運動の際に行われる。
【００４９】
図１０には、ワイヤ綴じエレメントの内側に旋回点Ｐ１，Ｐ１′，Ｐ２，Ｐ２′の位置が概略的に示されている。この場合、図１０には、旋回点は、確かに、扁平なワイヤ綴じエレメント４１に基づき図示されているが、Ｏ型成形機６０，６０′の、内側に位置する旋回点Ｐ２，Ｐ２′は、図２ｂのようにワイヤ綴じエレメント４１がＣ型に曲げられた状態であっても、Ｃ型のワイヤ綴じエレメント４１の扁平な区分に位置していることが示されている。
【００５０】
Ｏ型成形機６０，６０′の突起６２，６２′は、ループＳのクランプ位置では反対側に斜面６７，６７′を有している。この斜面６７，６７′は、ループの間への曲げエレメント６４，６４′の進入を容易にする。
【００５１】
以下に図１１−１〜図１１−１７につき、本発明による方法を実施する際の、本発明による装置の運動の経過を詳しく説明する。この場合、運動の経過は、Ｃ型成形機５０，５０′もしくはＯ型成形機６０，６０′の運動を行わせる、種々様々な形式の、当業者には公知のステップモータ（図示せず）のための、背景技術により公知の制御装置（図示せず）によって制御される。この場合、このために必要な速度プロフィールは例えば計算することができ、または表から読みとることができる。個々の駆動装置の運動の速度プロフィールは、特に、ループ状のワイヤ綴じエレメント４１のループ長さＬに依存している。
【００５２】
図１１−１では、本発明による装置は基本位置に位置している。整合された複数の孔１２を備えたシート状の印刷物１１のパイルは、挟持装置７０で挟まれ、これにより、シート状の印刷物１１の複数の孔１２は、ワイヤ綴じエレメント４１のための進入平面に位置する。Ｃ型成形機５０，５０′は、進入平面の上方に位置しており、Ｏ型成形機６０、６０′は、進入平面の下方に位置している。これらの成形機は、綴じようとする小冊子１０の厚さに応じて互いに間隔をおいて位置しており、挟持装置７０がシート状の印刷物１１を下方から、所定の位置へと旋回させる場合には特に、その位置で、シート状の印刷物１１のための拡開防止装置として作用する。これにより個々に拡開するシート状の印刷物１１は揃えられている。
【００５３】
シート状の印刷物１１が、所定の位置に位置すると、図１１−２に示したように第２のＣ型成形機５０′が下方に向かって、扁平なループ状のワイヤ綴じエレメント４１のためのセンタリング位置へと移動する。第２のＣ型成形機５０′の漏斗状センタリング装置６５′が、シート状の印刷物１１の孔１２と整合している場合に、第２のＣ型成形機５０′はセンタリング位置に位置している。Ｏ型成形機６０，６０′は、進入平面の下方で、シート状の印刷物１１が揃えられるまでＸ方向で互いに接近する。次いで、扁平なワイヤ綴じエレメント４１は、シート状の印刷物１１の複数の孔１２に通され進入する。ループ状のワイヤ綴じエレメント４１は、先端４１ｓに当接するまで、第２のＣ型成形機５０′の漏斗状センタリングエレメント６５′内に進入する。有利には、ワイヤ綴じエレメント４１は、進入装置によってこの位置で保持されるが、ワイヤ綴じエレメント４１を手動で進入させることも可能である。
【００５４】
この場合、上述し、図４ａおよび図４ｂに示したように、複数のワイヤ綴じエレメント４１，４１′，４１″であってもよい。単純にするために、以下では常に、個別のワイヤ綴じエレメント４１について説明するが、複数のワイヤ綴じエレメント４１，４１′，４１″であって、本発明による方法には何ら違いはない。
【００５５】
図１１−３に示した次のステップでは、Ｏ型成形機６０，６０′が、Ｙ方向で上昇され、ワイヤ綴じエレメント４１のループＳの間に進入する。次いで、Ｏ型成形機６０，６０′はＸ方向で、制作すべきＣ型４１ｃのための正しい係合点に向かう。この制作すべきＣ型４１ｃは、特にループ長さＳに依存しており、これによりさらに、制作されるＯ型の直径と、ひいては綴じるべき小冊子１０の厚さとに依存している。次いで、Ｏ型成形機６０，６０′の突起６２，６２′がＺ方向でループＳの上方で、突起６２，６２´がループＳを幅に応じてカバーするまで移動する。
【００５６】
図１１−４に示したように、次いでＯ型成形機６０，６０′がワイヤ綴じエレメント４１を、仮の旋回点（図示せず）を中心として小冊子１０に向かって旋回することにより挟持する。この時点までは、扁平なループ状のワイヤ綴じエレメント４１は、第２のＣ型成形機５０′の漏斗状センタリング装置６５′に先端４１ｓで当接している。ワイヤ綴じエレメント４１がこの位置でＯ型成形機６０，６０′によってクランプされるとすぐに、進入装置が離されてもい。または、ワイヤ綴じエレメント４１は他の形式で開放されてもよい。何故ならば、ワイヤ綴じエレメント４１は、本発明による方法の残りのために、ワイヤ綴じエレメント４１の正確な位置でのセンタリングの他に、本発明による装置の内側では、常に、Ｃ型成形機５０，５０′またはＯ型成形機６０，６０′によって正確な位置で固定されているからである。
【００５７】
次いで、図１１−５に示したように、第１のＣ型成形機５０が、Ｙ方向でセンタリング位置へと動かされる。第１のＣ型成形機５０は、楔状のセンタリングエレメント５３が、ワイヤ綴じエレメント４１のベース側４１ｋで、ワイヤ綴じエレメント４１のループＳの脚の中間室内に進入する場合に、センタリング位置に位置している。
【００５８】
センタリングは、図１１−６に示したように、Ｏ型成形機６０，６０′が短時間、ワイヤ綴じエレメント４１のクランプを解除し、これによりワイヤ綴じエレメント４１のベース側４１ｋが、第１のＣ型成形機５０のこのために設けられたセンタリングエレメント５３において正確に位置するまでワイヤ綴じエレメント４１の移動と調整とが行われることにより助成される。次いで、ワイヤ綴じエレメント４１は再びＯ型成形機６０，６０′によって堅固にクランプされる。
【００５９】
次いで、Ｃ型成形機５０，５０′は、図１１−７に示したように曲げ工程に入り、この曲げ工程では、両Ｃ型成形機５０，５０′が、図８に第１のＣ型成形機５０に関して示した進入位置へと移動する。これに続いて、図１１−８に示したように、Ｃ型成形機５０，５０′は、図８で第２のＣ型成形機５０′に関して示したような、ワイヤ綴じエレメント４１のクランプ位置へと旋回される。
【００６０】
次いで、図１１−９に示したように、Ｃ型成形機５０，５０′の曲げ過程が、第１のＣ型成形機５０が、定置の旋回点Ｐ１（図１０参照）を中心として旋回し、第２のＣ型成形機５０′が定置の旋回点Ｐ１′を中心として旋回することにより始まる。この場合、ワイヤ綴じエレメント４１は、ワイヤの弾性的な戻しばね運動を補償するために過剰に曲げられる。
【００６１】
次いで、図１１−１０に示したように、Ｏ型成形機６０，６０′が、今やＣ型４１ｃのワイヤ綴じエレメント４１のクランプを解除し、旋回点Ｐ２，Ｐ２′に対応して曲げ位置に到り、ここで再びワイヤ綴じエレメント４１をクランプする（図１１−１１参照）。旋回点Ｐ２，Ｐ２′の位置はやはり、ワイヤ綴じエレメント４１のループのループ長さＬに依存しており、制御装置（図示せず）によって規定される。
【００６２】
次いで、Ｃ型成形機５０，５０′は、図１１−１２に示した位置へ戻される。この場合、両Ｃ型成形機５０，５０′は、逆方向ではあるがワイヤ綴じエレメント４１を曲げる際と同じカーブを描き、Ｃ型４１ｃに曲げられたワイヤ綴じエレメント４１が緊張のない状態となるまで運動する。次いで、Ｃ型成形機５０，５０′は、クランプ側面５５，５５′もしくは突起側面５６，５６′によるクランプを解除するために、旋回点Ｐ１，Ｐ１′を中心として旋回する。
【００６３】
次いで、Ｃ型成形機５０，５０′は、Ｃ型４１ｃのワイヤ綴じエレメント４１から離れて、図１１−１３に示したように、進入平面の上方の休止位置へと移動する。この場合、休止位置は、Ｏ型成形の際に、Ｃ型成形機５０，５０′がＯ型成形機６０，６０′の運動空間の外側に位置するように選択されている。
【００６４】
次いで、Ｏ型成形機６０，６０′は、この時点ではＣ型４１ｃのワイヤ綴じエレメント４１を、図１１−１４に示したような閉じられたＯ型となるように曲げる。この場合、Ｃ型成形の場合と同様にワイヤ綴じエレメント４１は、ワイヤの弾性的な戻りばね運動を補償するために過剰に曲げられる。これにより、ワイヤ綴じエレメント４１は、緊張が解かれた状態で所望の形状となる。
【００６５】
次いでＯ型成形機６０，６０′は、図１１−１５に示した位置へ戻される。この場合、Ｏ型成形機６０，６０′は、逆方向ではあるが、ワイヤ綴じエレメント４１を曲げる際と同じカーブを描き、Ｏ型４１ｏに曲げられたワイヤ綴じエレメント４１が、緊張が解除された状態で得られるようになる。次いで、Ｏ型成形機６０，６０′が、旋回点Ｐ２，Ｐ２′を中心として回転し、曲げエレメント６４，６４′によるクランプを解除する。
【００６６】
次いで、Ｏ型成形機６０，６０′は、まず最初に、Ｚ方向でループＳの間の中間室へと運動し、次いでＹ方向でワイヤ綴じエレメント４１から離れる。最後に、Ｏ型成形機６０，６０′は水平位置へと旋回し、いまや綴じられた小冊子１０への係合を解放する（図１１−１６参照）。
【００６７】
最後に小冊子は、図１１−１７に示したように、本発明による装置から外へ出されるか、または手動で引き抜かれる。
【００６８】
方法と運動経過の説明からわかるように、Ｃ型成形機５０，５０′とＯ型成形機６０，６０′とは、実際にはループ長さＳには無関係で、そのために設けられたガイド上での運動のための手段によってしか制限されていない。ワイヤ綴じエレメント４１のループ長さＬへの適合は、Ｃ型成形機５０，５０′もしくはＯ型成形機６０，６０′の位置および運動曲線を介して行われる。ループ長さＬの下限は、Ｏ型成形機６０，６０′の突起６２，６２′の大きさである。この突起６２，６２′は、Ｏ型４１ｏに閉じられたワイヤ綴じエレメント４１の内側で、本の背と一緒に位置しなければならない。しかし小冊子１０のシート状の印刷物１１は綴じられた状態でも、まだ動けるようになっていなければならないので、このことは技術的に実際に、綴じたい小冊子１０のサイズには何の制限も与えていない。
【００６９】
本発明を有利な実施例につき説明したが、本発明はこれに限定されるものではなく、妥当性の範囲内で、変更および改良を行うことができる。
【図面の簡単な説明】
【図１】本発明による装置の実施例の構成を示す基本的な図である。
【図２ａ】扁平なループ状ワイヤ綴じエレメントを示す図である。
【図２ｂ】Ｃ型のループ状ワイヤ綴じエレメントを示す図である。
【図３】１つの連続的なＯ型に曲げられたループ状ワイヤ綴じエレメントによって綴じられた小冊子の実施例を示す図である。
【図４ａ】複数の個別のワイヤ綴じエレメントによって綴じられた小冊子の実施例を示す図である。
【図４ｂ】複数の互いに間隔をおいて配置された個別のワイヤ綴じエレメントによって綴じられた小冊子の実施例を示す図である。
【図５】ワイヤ綴じエレメントの先端をセンタリングする際のＣ型成形機を概略的に示す図である。
【図６】ワイヤ綴じエレメントのベース側をセンタリングする際のＣ型成形機を概略的に示す図である。
【図７】突起に挿入されたワイヤ綴じエレメントを有したＣ型成形機を概略的に示す図である。
【図８】Ｃ型成形機の挿入もしくはクランプ位置を示す基本的な図である。
【図９】Ｏ型成形機を概略的に示す図である。
【図１０】ループ状ワイヤ綴じエレメントの内側におけるＣ型成形機およびＯ型成形機の旋回点を概略的に示す図である。
【図１１】本発明による方法の経過を概略的に示す図である。
【符号の説明】
１０　小冊子、　１１　シート状印刷物、　１２　孔、　４１　ワイヤ綴じエレメント、　４１´　個別のワイヤ綴じエレメント、　４１ｃ　Ｃ型、　４１ｏＯ型、　４１ｋ　ベース側、　４１ｓ　先端、　５０　第１のＣ型成形機、　５０´　第２のＣ型成形機、　５１，５１´　軸、　５２，５２´　突起、　５３，５３´　センタリングエレメント、　５４，５４´　漏斗状センタリング装置、　５５，５５´　クランプ側面、　５６，５６´　突起側面、　６０　第１のＯ型成形機、　６０´　第２のＯ型成形機、　６１，６１´　軸、　６２，６２´　突起、　６４，６４´　曲げエレメント、　６６，６６´　溝、　６７，６７´　斜面、　７０　挟持装置　Ａ，Ａ´　間隔、　Ｄ　ワイヤ直径、　Ｓ　ループ、　Ｌ　ループ長さ、　Ｎ　ループの総数、　Ｐ１，Ｐ１´　Ｃ型成形機の旋回点、　Ｐ２，Ｐ２´　Ｏ型成形機の旋回点、
【図１】
2004001525.tif 000003
【図２ａ】
2004001525.tif 000004
【図２ｂ】
2004001525.tif 000005
【図３】
2004001525.tif 000006
【図４ａ】
2004001525.tif 000007
【図４ｂ】
2004001525.tif 000008
【図５】
2004001525.tif 000009
【図６】
2004001525.tif 000010
【図７】
2004001525.tif 000011
【図８】
2004001525.tif 000012
【図９】
2004001525.tif 000013
【図１０】
2004001525.tif 000014
【図１１】
2004001525.tif 000015